(57)【要約】【課題】セグメント数を増やすことなく、コストの増加を防ぎ、従来技術による表示では分かりにくかった文字、表示できなかった文字を視認性良く表示することができる７セグメントディスプレイ装置、この７セグメントディスプレイ装置をオペレータに備えたインバータ装置およびサーボドライブ装置を提供する。    【解決手段】横に隣り合う複数の７セグメント表示器による表示の組み合わせによって一つの文字、あるいは一つの記号を表示するようにセグメント表示を制御するセグメント制御部を備えた。【選択図】図１
2007240917.tif 000002
【特許請求の範囲】
【請求項１】
複数個の７セグメント表示器を備え、文字や記号により電気機器内のパラメーターや前記電気機器の状態を表示する７セグメントディスプレイ装置において、
横に隣り合う前記複数の７セグメント表示器による表示の組み合わせによって一つの文字、あるいは一つの記号を表示するようにセグメント表示を制御するセグメント制御部を備えたことを特徴とする７セグメントディスプレイ装置。
【請求項２】
前記一つの文字は、Ｍ、Ｎ、Ｗのいずれかを表現する文字を含み、
前記セグメント制御部は、
前記一つの文字を横に隣り合う２個の７セグメント表示器による表示の組み合わせで表示するように制御することを特徴とする請求項１に記載の７セグメントディスプレイ装置。
【請求項３】
前記一つの記号は、顔文字であり、
前記セグメント制御部は、
前記一つの記号を横に隣り合う４個の７セグメント表示器による表示の組み合わせで表示するように制御することを特徴とする請求項１に記載の７セグメントディスプレイ装置。
【請求項４】
請求項１に記載の７セグメントディスプレイ装置をオペレータに備えたことを特徴とするインバータ装置。
【請求項５】
請求項１に記載の７セグメントディスプレイ装置をオペレータに備えたことを特徴とするサーボドライブ装置。
【発明の詳細な説明】
【技術分野】
【０００１】
本発明は、複数の７セグメント表示器を組み合わせて使用することにより文字や記号の表示機能を拡張する７セグメントディスプレイ装置、それをオペレータに備えたインバータ装置およびサーボドライブ装置に関する。
【背景技術】
【０００２】
従来、インバータ装置やサーボドライブ装置などの産業用電気機器においては、その操作にはオペレータを用いる。このオペレータは機器を操作する複数の押しボタンと、電気機器内のパラメーターや電気機器の状態を表すモニタを表示させる為の複数の７セグメント表示器から成る７セグメントディスプレイ装置を備えている。
【０００３】
図３は、従来技術を示す７セグメントディスプレイ装置による数値表示の説明図である。
また、図４は、従来技術を示す１６セグメントディスプレイ装置による文字表示の説明図であり、Ｋ、Ｍ、Ｎ、Ｑ、Ｘを例に示したものである。
図３に示すように、７セグメントディスプレイ装置の７セグメント表示器では主に数値を表示させている。しかし、表示内容の多様化により文字や記号を表示させる必要が出ており、この場合、通常は図４に示すように、セグメントを増やして表示能力を上げるか、ＬＣＤ（Ｌｉｑｕｉｄ  Ｃｒｙｓｔａｌ  Ｄｉｓｐｌａｙ）等を採用するしかなく、ハードウェアの性能アップにともないコストアップとなってしまうといった問題があった。
【０００４】
これを改善するために以下のような手法が提案されてきた。
図５は、従来技術を示す７セグメントディスプレイ装置によるアルファベット表示の説明図である。
一つには、図５に示すように、７セグメント表示器を一桁使用して、大文字、小文字の区別無しに、表示できる形にして表示する手法である。
もう一つには、シンボルマークにして７セグメント表示器により表示する手法である（例えば、特許文献１参照）。
【特許文献１】特開平６−２３３８９４号公報（第１図）
【発明の開示】
【発明が解決しようとする課題】
【０００５】
しかしながら、前者の方法では「Ｍ」、「Ｎ」など表示しても非常に分かりにくい文字があり、また「Ｗ」など表示することが出来ない文字があるという問題がある。また、後者の場合も表示できるシンボルマークが限られるという問題がある。
【０００６】
本発明はこのような問題点に鑑みてなされたものであり、隣り合う２つ以上の文字表示を組み合わせて使用することによって、セグメント数を増やすことなく、コストの増加を防ぎ、従来技術では分かりにくかった文字、表示できなかった文字を視認性良く表示することができる７セグメントディスプレイ装置を提供することを目的としている。さらに、この７セグメントディスプレイ装置をオペレータに備えたインバータ装置およびサーボドライブ装置を提供することを目的としている。
【課題を解決するための手段】
【０００７】
上記問題を解決するため、請求項１に記載の発明は、複数個の７セグメント表示器を備え、文字や記号により電気機器内のパラメーターや前記電気機器の状態を表示する７セグメントディスプレイ装置において、横に隣り合う前記複数の７セグメント表示器による表示の組み合わせによって一つの文字、あるいは一つの記号を表示するように制御するセグメント制御部を備えたことを特徴としている。
また、請求項２に記載の発明は、請求項１に記載の７セグメントディスプレイ装置において、前記一つの文字は、Ｍ、Ｎ、Ｗのいずれかを表現する文字を含み、横に隣り合う２個の７セグメント表示器による表示の組み合わせであることを特徴としている。
また、請求項３に記載の発明は、請求項１に記載の７セグメントディスプレイ装置において、前記一つの記号は、顔文字であり、横に隣り合う４個の７セグメント表示器による表示の組み合わせであることを特徴としている。
また、請求項４に記載の発明は、請求項１に記載の７セグメントディスプレイ装置をオペレータに備えたインバータ装置であることを特徴としている。
また、請求項５に記載の発明は、請求項１に記載の７セグメントディスプレイ装置をオペレータに備えたサーボドライブ装置であることを特徴としている。
【発明の効果】
【０００８】
請求項１に記載の発明によれば、現在ある複数の７セグメント表示器を使用することによりセグメント数を増やすことなく、コストの増加も防ぎ、かつ表示面積が大きくなることから視認性の良い文字または記号表現を実現することができる。
また、請求項２に記載の発明によれば、従来技術による表示では分かりにくかった文字、表示できなかった文字を視認性良く表示することができる。
また、請求項３に記載の発明によれば、従来技術では表示できなかった絵文字を視認性良く表示することができる。
また、請求項４に記載の発明によれば、現在ある複数の７セグメント表示器を使用することによりセグメント数を増やすことなく、コストの増加も防ぎ、かつ表示面積が大きくなることから視認性の良い文字または記号表現を実現することができるオペレータを備えたインバータ装置を得ることができる。
また、請求項５に記載の発明によれば、現在ある複数の７セグメント表示器を使用することによりセグメント数を増やすことなく、コストの増加も防ぎ、かつ表示面積が大きくなることから視認性の良い文字または記号表現を実現することができるオペレータを備えたサーボドライブ装置を得ることができる。
【発明を実施するための最良の形態】
【０００９】
以下、本発明の具体的実施例について、図に基づいて説明する。
【実施例１】
【００１０】
図１は、本発明の第1実施例を示す７セグメントディスプレイ装置による文字表示の説明図である。
図１において、１０１は従来の７セグメントディスプレイ装置における「Ｍ」表示をした７セグメント表示器、１０２、１０３は本発明の７セグメントディスプレイ装置による「Ｍ」表示をした７セグメント表示器、１０４は従来の７セグメントディスプレイ装置における「Ｎ」表示をした７セグメント表示器、１０５、１０６は本発明の７セグメントディスプレイ装置による「Ｎ」表示をした７セグメント表示器、１０７、１０８は本発明の７セグメントディスプレイ装置による「Ｗ」表示をした７セグメント表示器である。
本実施例が、従来技術と異なる点は、横に隣り合う２つの７セグメント表示器による表示の組み合わせによって一つの文字を表示するように制御するセグメント制御部（不図示）を備えるようにしている点である。
以下、図１を用いて、本実施例の７セグメントディスプレイ装置におけるセグメント制御部による文字表示動作について説明する。
従来、「Ｍ」、「Ｎ」といったアルファベットは７セグメント表示器で表現することが出来なかった為、図１の７セグメント表示器１０１、１０４に示す表現をしていた。これを２桁の７セグメント表示器を使用することにより、「Ｍ」を７セグメント表示器１０２、１０３のように、「Ｎ」を７セグメント表示器１０５、１０６のように、またこれまで表現できなかった「Ｗ」を同じように２桁の７セグメント表示器を組み合わせて７セグメント表示器１０７、１０８のように表現する。
【実施例２】
【００１１】
図２は、本発明の第２実施例を示す７セグメントディスプレイ装置による顔文字表示の説明図である。
図２において、２０１、２０２、２０３、２０４、２０５は本発明における顔文字表示をした４個の７セグメント表示器からなる７セグメントディスプレイ装置である。
本実施例が、従来技術と異なる点は、横に隣り合う４つの７セグメント表示器による表示の組み合わせによって一つの顔文字を表示するように制御するセグメント制御部（不図示）を備えるようにしている点である。
以下、図２を用いて本実施例の７セグメントディスプレイ装置におけるセグメント制御部による顔文字表示動作について説明する。
セグメント制御部は、顔文字を４個の７セグメント表示器を用いて、７セグメントディスプレイ装置２０１、２０２、２０３、２０４、２０５に示すように表示する。
尚、本実施例では、隣り合う７セグメント表示器による表示の組み合わせによって一つの顔文字を表示する例を示したが、顔文字以外の記号でもよいことは明白である。
【産業上の利用可能性】
【００１２】
本発明は、複数の７セグメント表示器からなる７セグメントディスプレイ装置を備えたインバータ装置やサーボドライブ装置などの産業用電気機器のオペレータに好適である。
【図面の簡単な説明】
【００１３】
【図１】本発明の第1実施例を示す７セグメントディスプレイ装置による文字表示の説明図
【図２】本発明の第２実施例を示す７セグメントディスプレイ装置による顔文字表示の説明図
【図３】従来技術を示す７セグメントディスプレイ装置による数値表示の説明図
【図４】従来技術を示す１６セグメントディスプレイ装置による文字表示の説明図
【図５】従来技術を示す７セグメントディスプレイ装置によるアルファベット表示の説明図
【符号の説明】
【００１４】
１０１  従来の「Ｍ」表示をした７セグメント表示器
１０２、１０３  本発明による「Ｍ」表示をした７セグメント表示器
１０４  従来の「Ｎ」表示をした７セグメント表示器
１０５、１０６  本発明による「Ｎ」表示をした７セグメント表示器
１０７、１０８  本発明による「Ｗ」表示をした７セグメント表示器
２０１、２０２、２０３、２０４、２０５  本発明による顔文字表示をした４個の７セグメント表示器からなる７セグメントディスプレイ装置
【図１】
2007240917.tif 000003
【図２】
2007240917.tif 000004
【図３】
2007240917.tif 000005
【図４】
2007240917.tif 000006
【図５】
2007240917.tif 000007